(57)【要約】【課題】  ＩＣタグを利用した情報処理システムの使い勝手を向上できるようにするとともに、ＩＣタグを利用した情報処理システムを安価に構築できるようにする。【解決手段】  ＩＣタグと電磁結合して情報の授受を行なうリーダ／ライタ装置と、上記リーダ／ライタ装置と上記ＩＣタグとの間で授受する情報を処理する携帯型情報処理装置と、上記携帯型情報処理装置と業務支援サーバとを無線回線を介して接続する無線通信装置とにより携帯端末装置を構成したので、ＩＣタグを固定的に配置しておき、上記リーダ/ライタ装置を移動させて上記ＩＣタグに対してアクセスしながら業務支援サーバと通信を行なうシステムを構築できるようにする。【選択図】  図１
2005135302.tif 000002
【特許請求の範囲】
【請求項１】
ＩＣタグと電磁結合して情報の授受を行なうリーダ／ライタ装置と、
上記リーダ／ライタ装置と上記ＩＣタグとの間で授受する情報を処理する携帯型情報処理装置と、
上記携帯型情報処理装置と業務支援サーバとを無線回線を介して接続する無線通信装置とを有することを特徴とする携帯端末装置。
【請求項２】
上記携帯型情報処理装置は、上記リーダ／ライタ装置と上記ＩＣタグとの間で授受する情報を表示する表示手段を有することを特徴とする請求項１に記載の携帯端末装置。
【請求項３】
ＩＣタグと電磁結合して情報の授受を行なうリーダ／ライタ装置と、上記リーダ／ライタ装置と上記ＩＣタグとの間で授受する情報を処理する携帯型情報処理装置と、上記携帯型情報処理装置と業務支援サーバとを無線回線を介して接続する無線通信装置とを有する携帯端末装置と、
上記携帯端末装置と無線回線を介して接続された業務支援サーバとを有することを特徴とするＩＣタグを利用した情報処理システム。
【請求項４】
上記業務支援サーバは、ネットワークを介して上位生産管理システム及び生産制御システムと接続されていて、上記リーダ/ライタ装置を通じて取得した上記ＩＣタグ情報を上記生産制御システム及び上位生産管理システムで活用できるようにしたことを特徴とする請求項３に記載のＩＣタグを利用した情報処理システム。
【請求項５】
車両の走路の所定の位置に複数個のＩＣタグを配設するとともに、上記携帯端末装置を上記車両に配設し、上記携帯端末装置に走行ガイダンス表示を行ない、上記携帯端末装置と上記ＩＣタグとの間において非接触で情報の授受を行なって、上記ガイダンスとＩＣタグ情報によって走行監視を行なうようにしたことを特徴とする請求項３または４に記載のＩＣタグを利用した情報処理システム。
【請求項６】
上記ＩＣタグに工場ナンバー、工程ナンバー、間口ナンバー、路線区分、線路区分、分岐区分、車両通過時刻等の走路情報を書き込んだことを特徴とする請求項５に記載のＩＣタグを利用した情報処理システム。
【請求項７】
上記車両は構内の走路或いは線路上を走行するトラック、トレーラ、ディーゼル機関車、トーピードカー、台車、ＡＧＶ、クレーンの何れかを含むことを特徴とする請求項５に記載のＩＣタグを利用した情報処理システム。
【請求項８】
上記ＩＣタグに所定の設備の点検項目を記録しておき、上記記録しておいた設備点検項目を上記携帯端末装置で読み出して表示画面に表示するようにして、上記所定の設備の点検手順と項目とをガイダンスするとともに、点検データを上記業務支援サーバに送信するようにしたことを特徴とする請求項３または４に記載のＩＣタグを利用した情報処理システム。
【請求項９】
上記業務支援サーバに送信した点検データを、機能区分に応じて上記上位生産管理システム及び生産制御システムに振分けるようにしたことを特徴とする請求項４に記載のＩＣタグを利用した情報処理システム。
【請求項１０】
上記上位生産管理システム、上記生産制御システム及び上記業務支援サーバと、上記携帯端末装置との間で情報を交換し、上記携帯端末装置においてＷｅｂ表示を行なうことができるようにするとともに、上記ＩＣタグに対して設定入力を行なうことができるようにしたことを特徴とする請求項９に記載のＩＣタグを利用した情報処理システム。
【請求項１１】
上記ＩＣタグに操作項目や機器の動作状態及び制御状態に係わる情報を書き込んでおき、上記書き込んだ情報を上記携帯端末装置で読み出すようにして、上記機器の設定盤の機能を上記ＩＣタグ及び上記携帯端末装置に持たせたことを特徴とする請求項１０に記載のＩＣタグを利用した情報処理システム。
【請求項１２】
上記ＩＣタグに管理対象物情報及び生産管理情報を書き込んで管理対象物に貼付し、上記書き込んだ情報を上記携帯端末装置により任意の場所で読み出すとともに、任意の作業実績を書き込むことで、上記管理対象物に対する処置を任意の場所でガイダンス可能にするとともに、情報管理可能にしたことを特徴とする請求項１０に記載のＩＣタグを利用した情報処理システム。
【請求項１３】
ＩＣタグと電磁結合して情報の授受を行なうリーダ／ライタ装置と、上記リーダ／ライタ装置と上記ＩＣタグとの間で授受する情報を処理する携帯型情報処理装置と、上記携帯型情報処理装置と業務支援サーバとを無線回線を介して接続する無線通信装置とを有する携帯端末装置を用いた情報処理方法であって、
上記ＩＣタグとリーダ／ライタ装置との間で行なう通信処理と、
上記ＩＣタグとの通信処理で取得した情報を、無線回線を介して接続された業務支援サーバに送信する情報送信処理と、
上記業務支援サーバから送られた情報を上記ＩＣタグに書き込む情報書き込み処理とを有することを特徴とするＩＣタグを利用した情報処理方法。
【請求項１４】
ＩＣタグと電磁結合して情報の授受を行なうリーダ／ライタ装置と、上記リーダ／ライタ装置と上記ＩＣタグとの間で授受する情報を処理する携帯型情報処理装置と、上記携帯型情報処理装置と業務支援サーバとを無線回線を介して接続する無線通信装置とを有する携帯端末装置を用いた情報処理方法をコンピュータに実行させるプログラムであって、
上記ＩＣタグとリーダ／ライタ装置との間で行なう通信処理と、
上記ＩＣタグとの通信処理で取得した情報を、無線回線を介して接続された業務支援サーバに送信する情報送信処理と、
上記業務支援サーバから送られた情報を上記ＩＣタグに書き込む情報書き込み処理とをコンピュータに実行させることを特徴とするコンピュータプログラム。
【請求項１５】
上記請求項１４に記載のコンピュータプログラムを記録したことを特徴とするコンピュータ読み取り可能な記録媒体。
【発明の詳細な説明】
【技術分野】
【０００１】
本発明は携帯端末装置、ＩＣタグを利用した情報処理システム、ＩＣタグを利用した情報処理方法、コンピュータプログラム及び記録媒体に関し、特に、ＩＣタグに書き込まれている種々の情報をリーダ／ライタにより読み取るシステムに用いて好適なものである。
【背景技術】
【０００２】
従来、種々の産業分野においてＩＣタグが利用されている。例えば、（１）交通機関の乗車券システム、（２）電子チケットシステム、（３）電子マネーシステム、（４）個人認証を伴う入場者管理システム、（５）物品搬送等の管理システム、等に利用されている。
【０００３】
具体的例として、例えば、特許文献１には「入出庫物品自動登録システム」が記載されている。上記特許文献１に記載のされている「入出庫物品自動登録システム」には、入出庫する物品の自動登録処理を行なうようにしている。
【０００４】
また、他の具体例として、特許文献２には「コンテナの管理装置および管理方法」が記載されている。上記特許文献２に記載されている「コンテナの管理装置および管理方法」は多数のコンテナの中から、実入りまたは空のコンテナの現在位置を常時把握してその管理を行なうようにしている。これは、ＩＣタグの場合は、バーコードと比較して多くの情報を記録することが可能であること、非接触での読み書きが可能であること、等の利点を有しているからである。
【０００５】
【特許文献１】特開２００１−２６１１２１号公報
【特許文献２】特開２００１−２６１１５９号公報
【発明の開示】
【発明が解決しようとする課題】
【０００６】
上述のように、種々の産業分野でＩＣタグを利用した情報処理システムが実現されているが、従来は管理対象物にＩＣタグを付与し、上記ＩＣタグが付与された管理対象物が移動するルートにおける所定の位置にリーダ／ライタを固定してシステムを構築していた。
【０００７】
したがって、従来のＩＣタグを利用した情報処理システムは、管理対象物が広範囲に移動する場合、或いは管理対象物の場所を特定できない場合には有効に利用することが非常に困難になってしまう問題があった。
【０００８】
また、非接触型のＩＣタグは原理上、ＩＣタグとリーダ／ライタのアンテナとの間の電磁誘導と出力との関係から相互の位置関係が重要となっている。したがって、インラインで固定的にリーダ／ライタを設置しておいて、搬送中の管理対象物の情報を読み取ることは非常に困難であるか、可能であったとしても設備費が非常に高くなってしまう問題があった。
【０００９】
本発明は上述の問題点にかんがみ、ＩＣタグを利用した情報処理システムの使い勝手を向上できるようにするとともに、ＩＣタグを利用した情報処理システムを安価に構築できるようにすることを目的とする。
【課題を解決するための手段】
【００１０】
本発明の携帯端末装置は、ＩＣタグと電磁結合して情報の授受を行なうリーダ／ライタ装置と、上記リーダ／ライタ装置と上記ＩＣタグとの間で授受する情報を処理する携帯型情報処理装置と、上記携帯型情報処理装置と業務支援サーバとを無線回線を介して接続する無線通信装置とを有することを特徴としている。
また、本発明の他の特徴とするところは、上記携帯型情報処理装置は、上記リーダ／ライタ装置と上記ＩＣタグとの間で授受する情報を表示する表示手段を有することを特徴としている。
【００１１】
本発明のＩＣタグを利用した情報処理システムは、ＩＣタグと電磁結合して情報の授受を行なうリーダ／ライタ装置と、上記リーダ／ライタ装置と上記ＩＣタグとの間で授受する情報を処理する携帯型情報処理装置と、上記携帯型情報処理装置と業務支援サーバとを無線回線を介して接続する無線通信装置とを有する携帯端末装置と、上記携帯端末装置と無線回線を介して接続された業務支援サーバとを有することを特徴としている。
また、本発明の他の特徴とするところは、上記業務支援サーバは、ネットワークを介して上位生産管理システム及び生産制御システムと接続されていて、上記リーダ/ライタ装置を通じて取得した上記ＩＣタグ情報を上記生産制御システム及び上位生産管理システムで活用できるようにしたことを特徴としている。
また、本発明のその他の特徴とするところは、車両の走路の所定の位置に複数個のＩＣタグを配設するとともに、上記携帯端末装置を上記車両に配設し、上記携帯端末装置に走行ガイダンス表示を行ない、上記携帯端末装置と上記ＩＣタグとの間において非接触で情報の授受を行なって、上記ガイダンスとＩＣタグ情報によって走行監視を行なうようにしたことを特徴としている。
また、本発明のその他の特徴とするところは、上記ＩＣタグに工場ナンバー、工程ナンバー、間口ナンバー、路線区分、線路区分、分岐区分、車両通行時刻等の走路情報を書き込んだことを特徴としている。
また、本発明のその他の特徴とするところは、上記車両は構内の走路或いは線路上を走行するトラック、トレーラ、ディーゼル機関車、トーピードカー、台車、ＡＧＶ、クレーンの何れかを含むことを特徴としている。
また、本発明のその他の特徴とするところは、上記ＩＣタグに所定の設備の点検項目を記録しておき、上記記録しておいた設備点検項目を上記携帯端末装置で読み出して表示画面に表示するようにして、上記所定の設備の点検手順と項目とをガイダンスするとともに、点検データを上記業務支援サーバに送信するようにしたことを特徴としている。
また、本発明のその他の特徴とするところは、上記業務支援サーバに送信した点検データを、機能区分に応じて上記上位生産管理システム及び生産制御システムに振分けるようにしたことを特徴としている。
また、本発明のその他の特徴とするところは、上記上位生産管理システム、上記生産制御システム及び上記業務支援サーバと、上記携帯端末装置との間で情報を交換し、上記携帯端末装置においてＷｅｂ表示を行なうことができるようにするとともに、上記ＩＣタグに対して設定入力を行なうことができるようにしたことを特徴としている。
また、本発明のその他の特徴とするところは、上記ＩＣタグに操作項目や機器の動作状態及び制御状態に係わる情報を書き込んでおき、上記書き込んだ情報を上記携帯端末装置で読み出すようにして、上記機器の設定盤の機能を上記ＩＣタグ及び上記携帯端末装置に持たせたことを特徴としている。
また、本発明のその他の特徴とするところは、上記ＩＣタグに管理対象物情報及び生産管理情報を書き込んで管理対象物に貼付し、上記書き込んだ情報を上記携帯端末装置により任意の場所で読み出すとともに、任意の作業実績を書き込むことで、上記管理対象物に対する処置を任意の場所でガイダンスするとともに、情報管理を可能にしたことを特徴としている。
【００１２】
本発明のＩＣタグを利用した情報処理方法は、ＩＣタグと電磁結合して情報の授受を行なうリーダ／ライタ装置と、上記リーダ／ライタ装置と上記ＩＣタグとの間で授受する情報を処理する携帯型情報処理装置と、上記携帯型情報処理装置と業務支援サーバとを無線回線を介して接続する無線通信装置とを有する携帯端末装置を用いた情報処理方法であって、上記ＩＣタグとリーダ／ライタ装置との間で行なう通信処理と、上記ＩＣタグとの通信処理で取得した情報を、無線回線を介して接続された業務支援サーバに送信する情報送信処理と、上記業務支援サーバから送られた情報を上記ＩＣタグに書き込む情報書き込み処理とを有することを特徴としている。
【００１３】
本発明のコンピュータプログラムは、ＩＣタグと電磁結合して情報の授受を行なうリーダ／ライタ装置と、上記リーダ／ライタ装置と上記ＩＣタグとの間で授受する情報を処理する携帯型情報処理装置と、上記携帯型情報処理装置と業務支援サーバとを無線回線を介して接続する無線通信装置とを有する携帯端末装置を用いた情報処理方法をコンピュータに実行させるプログラムであって、上記ＩＣタグとリーダ／ライタ装置との間で行なう通信処理と、上記ＩＣタグとの通信処理で取得した情報を、無線回線を介して接続された業務支援サーバに送信する情報送信処理と、上記業務支援サーバから送られた情報を上記ＩＣタグに書き込む情報書き込み処理とをコンピュータに実行させることを特徴としている。
【００１４】
本発明の記録媒体は、上記に記載のコンピュータプログラムを記録したことを特徴としている。
【発明の効果】
【００１５】
本発明によれば、ＩＣタグと電磁結合して情報の授受を行なうリーダ／ライタ装置と、上記リーダ／ライタ装置と上記ＩＣタグとの間で授受する情報を処理する携帯型情報処理装置と、上記携帯型情報処理装置と業務支援サーバとを無線回線を介して接続する無線通信装置とにより携帯端末装置を構成したので、ＩＣタグを固定的に配置しておき、上記リーダ/ライタ装置を移動させて上記ＩＣタグに対してアクセスしながら業務支援サーバと通信を行なうシステムを構築することができ、ＩＣタグに書き込まれている情報を任意の場所で取得することが可能なシステムを安価に構成することができる。
【００１６】
また、本発明の他の特徴によれば、ＩＣタグを固定するとともにリーダ/ライタ装置を移動可能にしてＩＣタグを利用した情報処理システムを構築することが、技術的に及びコスト的に容易なので、管理対象物が所定のルートを通過しなかったり、所定の場所に存在しなかったりする使用形態においても、上記管理対象物に係わる情報を容易に且つ確実に取得することが可能なシステムを構築することができる。
【００１７】
また、本発明のその他の特徴によれば、車両の走路の所定の位置に複数個のＩＣタグを配設するとともに、上記携帯端末装置を上記車両に配設し、上記携帯端末装置に走行ガイダンス表示を行ない、上記携帯端末装置と上記ＩＣタグとの間において非接触で情報の授受を行ない、ガイダンスとＩＣタグ情報とを比較するようにしたので、上記車両のトラッキングを正確に監視することができ、高精度の車両走行管理システムを安価に構成することができる。
【００１８】
また、本発明のその他の特徴によれば、上記ＩＣタグに所定の設備の点検項目を記録しておき、上記記録しておいた設備点検項目を上記携帯端末装置で読み出して表示画面に表示するようにして、上記所定の設備の点検手順と項目とをガイダンスするとともに、点検データを上記業務支援サーバに送信するようにしたので、操作対象を間違えるミスや操作手順を間違えるようなミスを確実に防止することができる。
【００１９】
また、本発明のその他の特徴によれば、上記ＩＣタグに操作項目や機器の動作状態及び制御状態に係わる情報を書き込んでおき、上記書き込んだ情報を上記携帯端末装置で読み出すようにして、上記機器の設定盤の機能を上記ＩＣタグ及び上記携帯端末装置に持たせたので、機器の設定盤を省略することを可能として、設備の軽減化を図ることができる。
【発明を実施するための最良の形態】
【００２０】
以下、図面を参照しながら本発明の携帯端末装置、ＩＣタグを利用した情報処理システム、ＩＣタグを利用した情報処理方法、コンピュータプログラム及び記録媒体の実施の形態を説明する。
〔第１の実施の形態〕
図１は、本発明のＩＣタグを利用した情報処理システムの第１の実施の形態を説明するためのブロック図である。
図１に示したように、本実施の形態のＩＣタグを利用した情報処理システムは、携帯端末装置１００、業務支援サーバ２００、生産制御システム３００、上位生産管理システム４００をイントラネット（イーサネット（Ｒ））５００を介して接続して構成している。
【００２１】
図１に示したように、本実施の形態においては、上記業務支援サーバ２００にリーダ／ライタ装置２０１を設けている。また、上記業務支援サーバ２００、生産制御システム３００、及び上位生産管理システム４００はネットワーク機器５０１を介してイントラネット５００に接続されている。
【００２２】
上記携帯端末装置１００は、ＩＣタグ１０と電磁結合による情報の授受を行ない、上記ＩＣタグ１０に書き込まれている情報を読み出したり、或いは上記ＩＣタグ１０に情報を書き込んだりするためのリーダ／ライタ装置１２０と、上記リーダ／ライタ装置１２０で処理する情報を処理したり、表示したりする機能を有する携帯型情報処理装置１１０とを有している。上記携帯型情報処理装置１１０としては、例えばＰＤＡのような端末装置を用いており、後述するように、上記リーダ／ライタ装置１２０により読込み込んだ情報を表示する機能を有している。
【００２３】
上記ＩＣタグ１０は、管理対象物２０に取り付けられて用いられるものである。上記管理対象物２０は、基本的には所定のルートを通過したり、所定の場所に載置されたりするものであるが、後述するように、本実施の形態のＩＣタグを利用した情報処理システムによれば、所定の場所以外の場所に載置されている管理対象物２０を容易に管理することを可能にしている。上記携帯端末装置１００と上記イントラネット５００との間で無線通信を行なうことができるようにするために、上記イントラネット５００には無線通信装置５０２が接続されている。
【００２４】
業務支援サーバ２００は、上記携帯端末装置１００で行なう種々の業務を支援するための端末装置であり、本実施の形態においては第１の通信処理部２１０、第２の通信処理部２２０を有している。上記第１の通信処理部２１０は、上位生産管理システム４００及び生産制御システム３００との通信処理を行なうために設けられているものであり、上記第２の通信処理部２２０は上記携帯端末装置１００との通信処理を行なうために設けられているものである。
【００２５】
上記第１の通信処理部２１０は、第１の情報処理部２３０により処理された種々の情報を他のシステムに送信したり、他のシステムから受信した情報を第１の情報処理部２３０に供給して処理させるようにしたりするものである。
【００２６】
上記第１の情報処理部２３０は種々の機能部を有しているが、図２の機能ブロック図には主要な機能部として、送受信部２３１と情報定義部２３２とを示している。
送受信部２３１は、現品生産管理する情報や制御する情報の送受信処理を行なうものである。また、情報定義部２３２は、現品生産管理する情報及びタグ情報を定義したり、制御情報・タグ情報を定義したりする。
【００２７】
第２の通信処理部２２０は、第２の情報処理部２４０により処理された種々の情報を携帯端末装置１００に送信したり、携帯端末装置１００から受信した情報を第２の情報処理部２４０に供給して処理させるようにしたりするものである。
【００２８】
上記第２の情報処理部２４０は種々の機能部を有しているが、図２の機能ブロック図には主要な機能部として、情報編集部２４１、端末ｗｅｂ処理部２４２、情報定義部２４３等を有している。
【００２９】
上記情報編集部２４１は、ＩＣタグと行なうリーダ／ライタ情報を編集する処理を行なうためのものであり、端末ｗｅｂ処理部２４２は上記携帯端末装置１００と行なうデータ通信のｗｅｂ処理を行なうものである。上記ｗｅｂ処理として、例えばメニュー表示、実績データ表示、操作ガイダンス表示、操作受付表示のような種々の処理を行なう。情報定義部２４３は、タグ情報を定義するものであり、端末Ｎｏ、機能区分、項目Ｎｏ、データベース編集区分、システム関連等の情報を定義する。
【００３０】
上記第１の情報処理部２３０及び第２の情報処理部２４０が必要とする情報を蓄積したり、或いは上記第１の情報処理部２３０及び第２の情報処理部２４０で取得した情報を蓄積したりするためのデータ蓄積部２５０が設けられている。
【００３１】
生産制御システム３００は、設定情報送受信処理部３１０及び状態情報送受信処理部３２０を有しており、これらの処理により計算機３０１、電気系３０２、計装系３０３等の制御を行なう。
【００３２】
上記上位生産管理システム４００は、設定情報送受信処理部４１０、状態情報送信処理部４２０、管理情報送受信処理部４３０等を有し、制御設定情報の送受信処理や、制御状態情報の送信処理や、現品・生産管理情報送受信処理等を行なっている。
【００３３】
次に、上述のように構成された本実施の形態のＩＣタグを利用した情報処理システムを用いて行なう具体例を説明する。
【００３４】
図３は、基本的なシステム構成例を示したものであり、図１と同一の構成要件については同じ符号を付して詳細な説明を省略する。
図３に示したように、この例の携帯端末装置１００の携帯型情報処理装置１１０は表示画面１１１及び各種の操作スイッチ１１２を有している。また、上記携帯端末装置１００は、リーダ/ライタ装置１２０とアンテナ１３０とを有している。また、後述するように業務支援サーバ２００と無線通信を行なうための無線通信装置を内蔵または付属している。
【００３５】
上述のように構成されたＩＣタグを利用した情報処理システムの第１の具体例として、図４に示すように、車両走行監視システムを説明する。
この車両走行監視システムは、例えば、製鉄所の構内輸送に使われているトラック、トレーラ、ディーゼル機関車、トーピードカー、台車、ＡＧＶ、クレーン等の車両４１に携帯端末装置１００を搭載している。
【００３６】
また、上記のような車両が走行する走路４０に沿って、工場ナンバー、工程ナンバー、間口ナンバー、路線区分、線路区分、分岐区分、車両通過時刻等の走路情報を書き込んだＩＣタグ１０を配設している。
【００３７】
上述のような構成により、まず、上記携帯端末装置１００に業務支援サーバ２００から走行ルートを含むガイダンスが表示され、上記車両４１が上記走路４０上を走行しながら上記走路４０に沿って配設された各ＩＣタグ１０に書き込まれた情報を読み込んだり、或いは走路４０及び線路上に設定された間口４０ａ、４０ｂ、４０ｃに配設されたＩＣタグ１０に書き込まれている情報を読み出したりする。さらに、ＩＣタグ１０を通過する際に上記携帯端末装置１００より通過時刻を上記ＩＣタグ１０に書き込む。
【００３８】
上述のように構成した車両走行監視システムによれば、従来と比較して車両の位置検出を格段と正確に行なうことができる。すなわち、従来の車両の位置検出手段としては、例えば、パルスジェネレータのパルスを車両側でカウントしたり、電磁結合方式の識別子を車両に搭載し、上記識別子を地上側で検出したりする方法が知られていた。また、ＯＣＤ（光空間伝送装置）による通信点を設ける方式や、ＧＰＳを車両側に搭載する方式等も知られていた。
【００３９】
しかし、従来の方式の場合には、基本的に検出されるデータが位置データだけであるにも係わらず、設備費用が高くなってしまうことにより、地上側に設置する追跡ポイントの数に制限があったり、精度を向上させるのに技術的な限界があったりする問題があった。
【００４０】
それに対して、本実施の形態の車両走行監視システムの場合には、位置検出精度に優れた電磁結合方式を用い、しかも、地上側にＩＣタグ１０を配置し移動側に携帯端末装置１００を設けることにより、無電源タイプの安価で多様な走路データを書き込めるＩＣタグ１０を必要区間、必要精度に応じて配置してシステムを構築することができる。
【００４１】
これにより、走路４０側に配置されたＩＣタグ１０に書き込まれている情報を、車両４１側に搭載した携帯端末装置１００にて走行中に読み取り、業務支援サーバ２００からの走行ガイダンスと照合することで異常検出や停止の迅速化が可能となり、上記読み取った情報を無線にて業務支援サーバ２００に逐次送ることで、車両通過時刻とガイダンスとの差分を補正した高精度な車両走行管理システムをローコストで構築することができる。また、経年劣化による精度低下や、天候、電波状況等による精度低下を解消することができる。
【００４２】
図５は、第２の具体例を示し、上述したＩＣタグを利用した情報処理システムを設備点検システムに適用した例を示す図である。
図５に示したように、ＩＣタグ１０には機能区分、点検項目が書き込まれている。この例の場合には、機能区分として、「１＝点検」が設定されている。また、点検項目として「１〜１０」が設定されており、「１＝１００」、「２＝１０１」、「３＝１０２」、「４＝１０３」、〜「１０＝１１０」が設定されている。
【００４３】
一方、携帯端末装置１００の携帯型情報処理装置１１０においては、表示内容として、上述した機能区分、点検項目の他に、タイトルとして「温度１」、「温度２」、「圧力１」、「圧力２」、〜「風量２」等が表示されるように設定されている。
【００４４】
この具体例では、ＩＣタグ１０に点検項目Ｎｏを書き込んでおき、それを携帯端末装置１００により任意の点検タイミングで読込むことにより、予め定義された携帯端末装置の項目定義に沿ってタイトル、及び単位等を付与し、且つ設定域を付与して表示することで、無線が到達が不可能なエリアにおいても、業務支援サーバ２００を介さずに迅速で信頼性の高い点検データ入力をサポートすることができるようにしている。
【００４５】
そして、入力完了後に上記ＩＣタグ１０と授受した情報を業務支援サーバ２００に送信し、業務支援サーバ２００での定義情報に基づいてデータ蓄積部２５０に蓄積するとともに、ｗｅｂ環境にて実績データ表示、次点検ガイダンス表示等を行なう。これにより、従来の作業手順書、マニュアルが不要な点検を行なうことを可能としている。また、操作対象を誤まるミスや操作手順を誤まるようなミスを確実に防止することができる。
【００４６】
次に、図６を参照しながら第３の具体例を説明する。
この例の場合は、ＩＣタグ情報による柔軟な情報端末システムを構築した例を示している。
この情報端末システムは、ＩＣタグ１０に書き込む情報は、機能区分として「２＝上位生産管理車両端末」、「３＝計算機設定盤」、「４＝電気設定盤」、「５＝計装設定盤」が書き込まれている。
【００４７】
設定項目は「１＝１００」、「２＝１０１」、「３＝１０２」、「４＝２０１」、〜「１０＝２０７」、「１１＝２０８」が設定されている。
【００４８】
一方、携帯端末装置１００においては、表示画面に表示されるＰＤＡ表示内容として機能区分が「２＝上位生産管理車両端末」の場合、設定項目は「１＝１００」、「２＝１０１」、「３＝１０２」、「４＝２０１」、〜「１０＝２０７」、「１１＝２０８」が設定され、操作ガイダンス用として、「この機能は上位生産管理車両端末です」、「・車両Ｎｏをインプット」、「・到着間口をインプット」、「・到着時刻をインプット」、「・卸し順に現品Ｎｏをインプット」、「卸し位置をインプット」が書き込まれている。
【００４９】
また、タイトルは「車両Ｎｏ」、「到着間口」、「到着時間」、「卸し現品Ｎｏ」、〜「卸し現品Ｎｏ」、「卸し位置」等である。さらに、単位及び設定値がそれぞれ表示されるようになされている。
【００５０】
次に、図７を参照しながら第４の具体例を説明する。
この例の場合は、電気設定盤を構築した例を示している。
この情報端末システムは、ＩＣタグ１０に「４＝電気設定盤」が機能区分として書き込まれている。
【００５１】
また、設定項目は「１＝１００」、「２＝１０１」、「３＝１０２」、「４＝１０３」、〜「１０＝１１０」が設定されている。タイトルは「ファン１状態」、「ファン２状態」、「弁１状態」、「弁２状態」、〜「位置状態ｍ」が書き込まれている。単位は「稼動／停止」、「稼動／停止」、「開／閉」、「開／閉」等であり、状態表示は「稼動」、「停止」、「開」、「閉」等である。また、各設定項目に対する設定値を書き込むようになされている。
【００５２】
携帯端末装置１００側の機能については特に説明していないが、上記携帯端末装置１００に対応する情報を授受する機能及び表示機能を有している。
【００５３】
上述のように構成した電気設定盤システムによれば、携帯端末装置１００の携帯型情報処理装置１１０で表示することで、上記対象機側での設定をガイダンスすることができるとともに、上記携帯型情報処理装置１１０内に読み込んだ情報を、業務支援サーバ２００に送信し、機能区分に応じて対象システム（上位生産管理システム４００、生産制御システム３００（計算機／電気／計装））を振分けるようにすることができる。
【００５４】
そして、これらの対象システムと情報交換し、携帯端末装置１００へのＷｅｂ表示及び設定入力を行なうことで、上記対象機側の設定盤を廃止することができる。また、上記携帯端末装置１００への一元化や、通信インフラを共用することが可能となり、２重投資による無駄を省くことができる。
【００５５】
次に、図８を参照しながら第５の具体例として、現品管理システムを構築した例を説明する。
図８に示したように、この現品管理システムは管理対象物２０にＩＣタグ１０を取り付けておき、上記ＩＣタグ１０に現品生産時に、上位生産管理システム４００または生産制御システム３００にて現品に関わる現品・生産管理情報を書き込むようにしている。さらに、作業毎に発生する実績についても書き込むようにしている。
【００５６】
一般的に、自動化されたライン上では管理対象物２０を正しく管理することが可能であるが、置場に置かれたり、検査場や手入れ場に移動されたりするケース、及び工程間で管理対象物２０の移動が発生する場合においては現品管理が不定になる場合が発生する。また、各作業実績については固定設備がない場合、メモによる後追い入力となっていた。
【００５７】
従来は、このような場合には管理対象物２０に印字された現品ナンバーを元に所定の固定端末にて情報検索や作業実績入力を行なっていたが、移動時間を含めて対応が遅くなる不都合があった。
本システムにおいては、不特定な位置や工程間を移動する管理対象物２０であっても、携帯端末装置１００にて現品の情報を把握し入力することができる。
【００５８】
これにより、上記管理対象物２０が無線到達不可能なエリアに置かれていても、その存在を瞬時に把握できるため、迅速な処置ができるばかりでなく、業務支援サーバ２００を介して上位生産管理システム４００または生産制御システム３００に情報を送ることによって、置場管理や生産管理に的確に反映することが可能である。
【００５９】
（本発明の他の実施形態）
上述した実施形態の機能を実現するべく各種のデバイスを動作させるように、上記各種デバイスと接続された装置あるいはシステム内のコンピュータに対し、上記実施形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００６０】
また、この場合、上記ソフトウェアのプログラムコード自体が上述した実施形態の機能を実現することになり、そのプログラムコード自体、およびそのプログラムコードをコンピュータに供給するための手段、例えば、かかるプログラムコードを格納した記録媒体は本発明を構成する。かかるプログラムコードを記録する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００６１】
また、コンピュータが供給されたプログラムコードを実行することにより、上述の実施形態の機能が実現されるだけでなく、そのプログラムコードがコンピュータにおいて稼働しているＯＳ（オペレーティングシステム）あるいは他のアプリケーションソフト等と共同して上述の実施形態の機能が実現される場合にもかかるプログラムコードは本発明の実施形態に含まれる。
【００６２】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行ない、その処理によって上述した実施形態の機能が実現される場合にも本発明に含まれる。
【図面の簡単な説明】
【００６３】
【図１】本発明のＩＣタグを利用した情報処理システムの第１の実施の形態を説明するためのブロック図である。
【図２】本発明のＩＣタグを利用した情報処理システムの主要な機能を説明する機能ブロック図である。
【図３】基本的なシステム構成例を示すブロック図である。
【図４】ICタグを利用した情報処理システムを車両走行監視システムに適用した例を示す図である。
【図５】ICタグを利用した情報処理システムを設備点検システムに適用した例を示す図である。
【図６】管理対象物が不特定な場所に在る場合にも対応可能な情報端末システムを構築した例を示す図である。
【図７】電気設定盤を省略可能なシステムを構築した例を示す図である。
【図８】現品管理システムを構築した例を説明する図である。
【符号の説明】
【００６４】
１０  ＩＣタグ
２０  管理対象物
１００  携帯端末装置
１１０  携帯型情報処理装置
１１１  表示画面
１２０  リーダ／ライタ装置
１３０  アンテナ
２００  業務支援サーバ
２１０  第１の通信処理部
２２０  第２の通信処理部
２３０  第１の情報処理部
２３１  送受信部
２３２  情報定義部
２４０  第２の情報処理部
２４１  情報編集部
２４２  端末ｗｅｂ処理部
２４３  情報定義部
２５０  データ蓄積部
３００  生産制御システム
３０１  計算機
３０２  電気係
３０３  計装係
３１０  設定情報送受信処理部
３２０  状態情報送受信処理部
４００  上位生産管理システム
４１０  設定情報送受信処理部
４２０  状態情報送信処理部
４３０  管理情報送受信処理部
５００  イントラネット
５０１  ネットワーク機器
【図１】
2005135302.tif 000003
【図２】
2005135302.tif 000004
【図３】
2005135302.tif 000005
【図４】
2005135302.tif 000006
【図５】
2005135302.tif 000007
【図６】
2005135302.tif 000008
【図７】
2005135302.tif 000009
【図８】
2005135302.tif 000010